(57)【要約】  【課題】  テレビジョンチューナの複同調回路の搭載回路基板を標準化し、複数種の回路基板を製造する必要のないテレビジョンチューナの複同調回路を提供する。  【解決手段】  回路基板に形成し、インダクタ１と可変容量素子２とを並列接続した１次側同調回路及びインダクタ２と可変容量素子４とを並列接続した２次側同調回路を有し、１次側同調回路入力と前段回路出力間に結合コンデンサ７を、２次側同調回路出力と後段回路入力間に結合コンデンサ８を接続し、結合コンデンサ８と後段回路入力との接続部に固定端を接続し、先端部がインダクタ１近傍に延伸した銅箔パターン１１を設け、インダクタ１と銅箔パターン１１により、受信テレビジョン信号のイメージ周波数を減衰するトラップを形成する際に、結合コンデンサ８を直列接続した２個の結合コンデンサ８（１）、８（２）とし、２個の結合コンデンサ８（１）、８（２）間に銅箔パターン１１の固定端を接続した。  【選択図】  図１
0003108713.tif 000002
【実用新案登録請求の範囲】
【請求項１】
回路基板上に配置形成され、第１インダクタと第１可変容量素子とを並列接続した１次側同調回路と、第２インダクタと第２可変容量素子とを並列接続した２次側同調回路とを有し、前記第１及び第２インダクタが誘導結合され、前記１次側同調回路のホット側入力端と前段回路の出力端との間に直列に第１結合コンデンサを接続し、前記２次側同調回路のホット側出力端と後段回路の入力端との間に直列に第２結合コンデンサを接続し、前記第２結合コンデンサと前記後段回路の入力端との接続部に固定端が接続され、先端部が前記第１インダクタの近傍まで延伸した銅箔パターンを配置し、前記第２結合コンデンサと前記銅箔パターンとにより、受信テレビジョン信号のイメージ周波数を減衰するトラップを形成したテレビジョンチューナの複同調回路であって、前記第２結合コンデンサを直列接続した２個の結合コンデンサで構成し、これら２個の結合コンデンサの間に前記銅箔パターンの固定端を接続したことを特徴とするテレビジョンチューナの複同調回路。
【請求項２】
回路基板上にそれぞれ配置形成され、第１インダクタと第１可変容量素子とを並列接続した１次側同調回路と、第２インダクタと第２可変容量素子とを並列接続した２次側同調回路とを有し、前記第１及び第２インダクタが誘導結合され、前記１次側同調回路のホット側入力端と前段回路の出力端との間に直列に第１結合コンデンサを接続し、前記２次側同調回路のホット側出力端と後段回路の入力端との間に直列に第２結合コンデンサを接続し、前記第１結合コンデンサと前記前段回路の出力端との接続部に固定端が接続され、先端部が前記第２インダクタの近傍まで延伸した銅箔パターンを配置し、前記第１結合コンデンサと前記銅箔パターンとにより、受信テレビジョン信号のイメージ周波数を減衰するトラップを形成したテレビジョンチューナの複同調回路であって、前記第１結合コンデンサを直列接続した２個の結合コンデンサで構成し、これら２個の結合コンデンサの間に前記銅箔パターンの固定端を接続したことを特徴とするテレビジョンチューナの複同調回路。
【考案の詳細な説明】
【技術分野】
【０００１】
本考案は、周波数混合器の前段側に配置され、テレビジョン信号のイメージ周波数成分を減衰させるイメージトラップが形成配置されているテレビジョンチューナの複同調回路に関する。
【背景技術】
【０００２】
一般に、テレビジョンチューナの複同調回路は、受信したテレビジョン信号を増幅するＲＦ増幅回路とテレビジョン信号を中間周波信号に変換する周波数混合器との間に接続配置されるもので、通常、第１インダクタと第１可変容量素子とを並列接続した一次側同調回路と、第２インダクタと第２可変容量素子とを並列接続した二次側同調回路とからなり、第１インダクタと第２インダクタとを誘導結合したものである。そして、この種のテレビジョンチューナの複同調回路においては、テレビジョン信号のイメージ周波数成分を減衰させるイメージトラップが形成配置されているものがあり、そのイメージトラップを形成する場合、種々の形式のものが提案されているが、その中の１つに調整可能な銅箔パターンを用いたものがある。
【０００３】
ここで、図３及び図４は、この種のテレビジョンチューナの複同調回路において、銅箔パターンを用いてイメージトラップを形成した構成例を示す回路図であって、図３は、銅箔パターンの固定部を複同調回路の出力端に接続し、その先端部を一次側同調回路の第１インダクタの近傍まで延伸配置している第１構成例を示すものであり、図４は、銅箔パターンの固定部を複同調回路の入力端に接続し、その先端部を二次側同調回路の第２インダクタの近傍まで延伸配置している第２構成例を示すものである。
【０００４】
図３に示されるように、テレビジョンチューナの複同調回路の第１構成例は、第１インダクタ３１と、第２インダクタ３２と、第１可変容量ダイオード３３と、第２可変容量ダイオード３４と、直流阻止コンデンサ３５、３６と、第１結合コンデンサ３７と、第２結合コンデンサ３８と、バッファ抵抗３９、４０と、銅箔パターン４１と、ホット側入力端４２Ｈと、コールド側入力端４２Ｃと、ホット側出力端４３Ｈと、コールド側出力端４３Ｃと、同調電圧供給端子４４とからなっている。そして、テレビジョンチューナの複同調回路を構成するそれぞれの構成要素３１乃至４４は、図３に図示されるように結合されている。
【０００５】
また、このテレビジョンチューナの複同調回路の前段回路は、ホット側出力端４５Ｈと、コールド側出力端４５Ｃと、高周波増幅器（ＲＦ  ＡＭＰ）４７と、アンテナ入力端子４８と、インダクタ４９と、帰還抵抗５０、５１と、バイパスコンデンサ５２と、電源端子５３とを有している。そして、前段回路を構成しているそれぞれの構成要素４５Ｈ、４５Ｃ、４７乃至５３は、図３に図示されるように相互結合されている。さらに、このテレビジョンチューナの複同調回路の後段回路は、ホット側入力端４６Ｈと、コールド側入力端４６Ｃと、周波数混合器（ＭＩＸ）５４と、局部発振器（Ｌ  ＯＳＣ）５５と、中間周波信号出力端子５６とを有している。そして、後段回路を構成しているそれぞれの構成要素４６Ｈ、４６Ｃ、５４乃至５６、図３に図示されるように相互結合されている。
【０００６】
前記構成を有するテレビジョンチューナの複同調回路は、次のような動作を行う。
【０００７】
始めに、前段回路において、アンテナ入力端子４８にアンテナ（図３に図示なし）で受信したテレビジョン信号（以下、この受信テレビジョン信号をＲＦ信号という）が入力すると、そのＲＦ信号は高周波増幅器４７で増幅され、増幅されたＲＦ信号が前段回路の出力端４５Ｈ、４５Ｃに供給され、第１結合コンデンサ３７を通して複同調回路の入力端４２Ｈ、４２Ｃに供給される。
【０００８】
ここで、複同調回路は、同調電圧供給端子４４に供給される同調電圧によって第１可変容量ダイオード３３及び第２可変容量ダイオード３４の容量値が調整され、入力したＲＦ信号に対して、第１インダクタ３１と第１可変容量ダイオード３３とからなる１次側同調回路及び第２インダクタ３２と第２可変容量ダイオード３４とからなる２次側同調回路でそれぞれ並列共振させることにより、所要の周波数のＲＦ信号が選択抽出され、選択されたＲＦ信号が出力端４３Ｈ、４３Ｃに供給される。次いで、このＲＦ信号は、第２結合コンデンサ３８を通して後続回路の入力端４６Ｈ、４６Ｃに供給される。また、この複同調回路においては、固定端が第２結合コンデンサ３８と後段回路の入力端４６Ｈとの接続部に固定接続され、自由端である先端部が第１インダクタ３１に近接した位置まで延伸する銅箔パターン４１が設けられ、その先端部の位置を適宜調整することにより、ＲＦ信号のイメージ周波数を減衰するトラップが形成される。この場合、ＲＦ信号中のイメージ周波数成分が第１インダクタ３１と銅箔パターン４１の先端部との結合によって微小容量が形成され、その微小容量がＲＦ信号中のイメージ周波数成分を減衰させるトラップ回路を構成し、このトラップ回路によりＲＦ信号中のイメージ周波数成分を減少させることができる。
【０００９】
この後、後段回路において、入力端４６Ｈ、４６Ｃに供給されたＲＦ信号は、周波数混合器５４で局部発振器５５から出力された局部発振信号と周波数混合され、その周波数混合によって形成された中間周波信号が、中間周波信号出力端子５６を通して中間周波増幅回路等の次続回路に供給される。
【００１０】
一方、図４に示されるテレビジョンチューナの複同調回路の第２構成例は、銅箔パターン４１の配置形態が前記第１構成例と異なっているだけで、それ以外の構成は第１構成例と同じである。すなわち、第１構成例は、固定端が第２結合コンデンサ３８と後段回路の入力端４６Ｈとの接続部に固定接続され、自由端である先端部が第１インダクタ３１に近接した位置まで延伸するように銅箔パターン４１が設けられているのに対し、第２構成例は、固定端が第１結合コンデンサ３７と前段回路の出力端４５Ｈとの接続部に固定接続され、自由端である先端部が第２インダクタ３２に近接した位置まで延伸するように銅箔パターン４１が設けられているものであり、この銅箔パターン４１の配置形態以外の構成は、既に述べた第１構成例の構成と同じである。このため、第２構成例の構成については、これ以上の説明を省略する。なお、図４において、図３に示された構成要素と同じ構成要素については同じ符号を付している。
【００１１】
そして、第２構成例は、第２構成例における銅箔パターン４１の機能と第１構成例における銅箔パターン４１の機能とが同じであるので、第２構成例の動作と既に述べた第１構成例の動作と同じになる。このため、第２構成例の動作については、これ以上の説明を省略する。
【特許文献１】使用する文献なし
【考案の開示】
【考案が解決しようとする課題】
【００１２】
ところで、前記既知のテレビジョンチューナの複同調回路は、銅箔パターン４１を用いてＲＦ信号のイメージ周波数を減衰するトラップを形成しているので、銅箔パターン４１の先端部の位置を調整することにより、ＲＦ信号のイメージ周波数を減衰させることができるものであるが、このＲＦ信号のイメージ周波数は、テレビジョンチューナの複同調回路が使用される国、例えば、日本、米国、欧州等によって異なっているので、使用される国に応じて銅箔パターン４１の先端部の位置を異ならせる必要があり、使用される国毎に、銅箔パターン４１の先端部の位置が異なるテレビジョンチューナの複同調回路を搭載した回路基板を準備する必要があり、この点でテレビジョンチューナの複同調回路を搭載した回路基板を標準化させることができず、複数種類の回路基板を並列的に製造せざるを得ないものであった。
【００１３】
本考案は、このような技術的背景に鑑みてなされたもので、その目的は、テレビジョンチューナの複同調回路を搭載した回路基板を標準化を達成することが可能で、複数種の回路基板を並列的に製造する必要のないテレビジョンチューナの複同調回路を提供することにある。
【課題を解決するための手段】
【００１４】
前記目的を達成するために、本考案によるテレビジョンチューナの複同調回路は、回路基板上に配置形成され、第１インダクタと第１可変容量素子とを並列接続した１次側同調回路と、第２インダクタと第２可変容量素子とを並列接続した２次側同調回路とを有し、第１及び第２インダクタが誘導結合され、１次側同調回路のホット側入力端と前段回路の出力端との間に直列に第１結合コンデンサを接続し、２次側同調回路のホット側出力端と後段回路の入力端との間に直列に第２結合コンデンサを接続し、第２結合コンデンサと後段回路の入力端との接続部に固定端が接続され、先端部が第１インダクタの近傍まで延伸した銅箔パターンを配置し、第２結合コンデンサと銅箔パターンとにより、受信テレビジョン信号のイメージ周波数を減衰するトラップを形成したもので、第２結合コンデンサを直列接続した２個の結合コンデンサで構成し、これら２個の結合コンデンサの間に銅箔パターンの固定端を接続した第１の構成手段を具備する。
【００１５】
また、前記目的を達成するために、本考案によるテレビジョンチューナの複同調回路は、回路基板上に配置形成され、第１インダクタと第１可変容量素子とを並列接続した１次側同調回路と、第２インダクタと第２可変容量素子とを並列接続した２次側同調回路とを有し、第１及び第２インダクタが誘導結合され、１次側同調回路のホット側入力端と前段回路の出力端との間に直列に第１結合コンデンサを接続し、２次側同調回路のホット側出力端と後段回路の入力端との間に直列に第２結合コンデンサを接続し、第１結合コンデンサと前段回路の出力端との接続部に固定端が接続され、先端部が第２インダクタの近傍まで延伸した銅箔パターンを配置し、第１結合コンデンサと銅箔パターンとにより、受信テレビジョン信号のイメージ周波数を減衰するトラップを形成したもので、第１結合コンデンサを直列接続した２個の結合コンデンサで構成し、これら２個の結合コンデンサの間に銅箔パターンの固定端を接続した第２の構成手段を具備する。
【考案の効果】
【００１６】
前記第１及び第２の構成手段によるテレビジョンチューナの複同調回路によれば、銅箔パターンの固定端を直列接続した２個の結合コンデンサの接続部に接続し、その自由端の位置を変えることなく、２個の結合コンデンサの総合容量を一定としたまま、２個の結合コンデンサの容量比を適宜変更するようにしているので、銅箔パターンの自由端の位置を変えなくても、２個の結合コンデンサの容量比を変えることにより、銅箔パターンと対応するインダクタとの結合によって得られるトラップ周波数を所望のイメージ周波数に一致させることができ、それによりテレビジョンチューナの複同調回路を搭載した回路基板を標準化することができ、複数種の回路基板を製造する必要がないという効果がある。
【考案を実施するための最良の形態】
【００１７】
以下、本考案の実施の形態を図面を参照して説明する。
【００１８】
図１は、本考案によるテレビジョンチューナの複同調回路の第１の実施の形態に係わるもので、その要部構成を示す回路図であって、図３の図示のテレビジョンチューナの複同調回路に対応するものである。
【００１９】
図１に示されるように、第１の実施の形態によるテレビジョンチューナの複同調回路は、第１インダクタ１と、第２インダクタ２と、第１可変容量ダイオード３と、第２可変容量ダイオード４と、直流阻止コンデンサ５、６と、第１結合コンデンサ７と、直列接続された２つの第２結合コンデンサ８（１）、８（２）と、バッファ抵抗９、１０と、銅箔パターン１１と、ホット側入力端１２Ｈと、コールド側入力端１２Ｃと、ホット側出力端１３Ｈと、コールド側出力端１３Ｃと、同調電圧供給端子１４とからなっている。この場合、直列接続された２つの第２結合コンデンサ８（１）、８（２）は、その総合容量値が既知のこの種の第２結合コンデンサの容量値と同じになるように選択される。
【００２０】
そして、第１インダクタ１は、一端が第１可変容量ダイオード３のアノードとホット側入力端１２Ｈにそれぞれ接続され、他端が接地接続される。第２インダクタ２は、一端が第２可変容量ダイオード４のアノードとホット側出力端１３Ｈにそれぞれ接続され、他端が接地接続される。第１可変容量ダイオード３は、カソードが直流阻止コンデンサ５の一端とバッファ抵抗９の一端にそれぞれ接続される。第２可変容量ダイオード４は、カソードが直流阻止コンデンサ６の一端とバッファ抵抗１０の一端にそれぞれ接続される。直流阻止コンデンサ５及び直流阻止コンデンサ６は、他端がそれぞれ接地接続され、バッファ抵抗９及びバッファ抵抗１０は、他端がそれぞれ同調電圧供給端子１４に接続される。第１結合コンデンサ７は、一端がホット側入力端１２Ｈに接続され、他端がホット側出力端１５Ｈに接続される。直列接続された２個の第２結合コンデンサ８（１）、８（２）は、一端が直列接続され、ホット側出力端１３Ｈに接続され、他端がホット側入力端１６Ｈに接続される。銅箔パターン１１は、固定部が２個の第２結合コンデンサ８（１）、８（２）の接続点に接続され、自由端である先端部が第１インダクタ１の近傍まで延伸配置している。この場合、第１インダクタ１と第１可変容量ダイオード３の並列接続部分は１次側同調回路を構成しており、第２インダクタ２と第２可変容量ダイオード４の並列接続部分は２次側同調回路を構成している。
【００２１】
また、このテレビジョンチューナの複同調回路の前段回路は、ホット側出力端１５Ｈと、コールド側出力端１５Ｃと、高周波増幅器（ＲＦ  ＡＭＰ）１７と、アンテナ入力端子１８と、インダクタ１９と、帰還抵抗２０、２１と、バイパスコンデンサ２２と、電源端子２３とを有している。そして、この前段回路において、高周波増幅器１７は、入力端がアンテナ入力端子１８と帰還抵抗２０、２１の各一端にそれぞれ接続され、出力端がホット側出力端１５Ｈとインダクタ１９の一端にそれぞれ接続される。インダクタ１９は、他端が帰還抵抗２０の他端、コンデンサ２２の一端、電源端子２３にそれぞれ接続される。コンデンサ２２は、他端が接地接続される。
【００２２】
さらに、このテレビジョンチューナの複同調回路の後段回路は、ホット側入力端１６Ｈと、コールド側入力端１６Ｃと、周波数混合器（ＭＩＸ）２４と、局部発振器（Ｌ  ＯＳＣ）２５と、中間周波信号出力端子２６とを有している。そして、この後段回路において、周波数混合器２４は、第１入力端がホット側入力端１６Ｈに接続され、第２入力端が局部発振器２５の出力端に接続され、出力端が中間周波信号出力端子２６に接続される。
【００２３】
前記構成による第１の実施の形態のテレビジョンチューナの複同調回路は、次のように動作する。
【００２４】
まず、前段回路において、アンテナ入力端子１８にアンテナ（図１に図示なし）で受信したＲＦ信号が入力すると、そのＲＦ信号は高周波増幅器１７で増幅され、増幅されたＲＦ信号が前段回路の出力端１５Ｈ、１５Ｃに供給され、第１結合コンデンサ７を通して複同調回路の入力端１２Ｈ、１２Ｃに供給される。
【００２５】
ここで、複同調回路は、同調電圧供給端子１４に供給される同調電圧によって第１可変容量ダイオード３及び第２可変容量ダイオード４の容量値がそれぞれ調整され、入力ＲＦ信号に対して、第１インダクタ１と第１可変容量ダイオード３とからなる１次側同調回路及び第２インダクタ２と第２可変容量ダイオード４とからなる２次側同調回路でそれぞれ並列共振させることにより、所要の周波数のＲＦ信号を選択抽出され、選択されたＲＦ信号が出力端１３Ｈ、１３Ｃに供給される。次いで、このＲＦ信号は、直列接続された２個の結合コンデンサ１８（１）、１８（２）を通して後続回路の入力端１６Ｈ、１６Ｃに供給される。
【００２６】
また、この複同調回路においては、固定端が直列接続された２つの第２結合コンデンサ８（１）、８（２）の接続点に固定接続され、自由端である先端部が第１インダクタ１に近接した位置まで延伸している銅箔パターン１１を設けている。この場合も、ＲＦ信号中のイメージ周波数成分が第１インダクタ１と銅箔パターン１１の先端部との結合によって生じる微小容量によってＲＦ信号中のイメージ周波数成分を減衰するトラップ回路を形成しているもので、このトラップ回路によりＲＦ信号中のイメージ周波数成分を減衰させることができる。そして、トラップ回路で減衰させるイメージ周波数の調整には、２つの第２結合コンデンサ８（１）、８（２）の総合容量値を変えることなく、２つの第２結合コンデンサ８（１）、８（２）の容量比を変化させることによって行っている。
【００２７】
次いで、後段回路において、複同調回路から入力端１６Ｈ、１６Ｃに供給されたＲＦ信号は、周波数混合器２４で局部発振器２５から出力された局部発振信号と周波数混合され、その周波数混合によって形成された中間周波信号が、中間周波信号出力端子２６を通して中間周波増幅回路等の次続回路に供給される。
【００２８】
このように、第１の実施の形態のテレビジョンチューナの複同調回路によれば、銅箔パターン１１の長さや延伸距離をそれぞれ個別に調整することなく、２つの第２結合コンデンサ８（１）、８（２）の容量比を変えるだけで、トラップ回路で減衰させるＲＦ信号中のイメージ周波数の調整ができるので、
次に、図２は、本考案によるテレビジョンチューナの複同調回路の第２の実施の形態に係わるもので、その要部構成を示す回路図であって、図４の図示のテレビジョンチューナの複同調回路に対応するものである。
【００２９】
図２に図示されるテレビジョンチューナの複同調回路の第２の実施の形態は、第１及び第２結合コンデンサ７、８の接続配置と銅箔パターン１１の配置形態とが前記第１の実施の形態の場合と異なっているだけで、それ以外の構成は第１の実施の形態の場合と同じである。すなわち、第１の実施の形態は、直列接続した２つの第２結合コンデンサ８（１）、８（２）を用い、固定端が直列接続された２つの第２結合コンデンサ８（１）、８（２）の接続部に固定接続され、自由端である先端部が第１インダクタ１に近接した位置まで延伸するように銅箔パターン１１を設けているのに対し、第２の実施の形態は、直列接続した２つの第１結合コンデンサ７（１）、７（２）を用い、固定端が直列接続された２つの第１結合コンデンサ７（１）、７（２）の接続部に固定接続され、自由端である先端部が第２インダクタ２に近接した位置まで延伸するように銅箔パターン１１を設けているものであり、この場合、２つの第１結合コンデンサ７（１）、７（２）の総合容量値を既知のこの種の第１結合コンデンサの容量値と同じになるように選択される。このため、第２の実施の形態の構成については、これ以上の説明を省略する。なお、図２において、図１に示された構成要素と同じ構成要素については同じ符号を付している。
【００３０】
そして、第２の実施の形態による銅箔パターン１１を含むトランプ回路の機能と、第１の実施の形態による銅箔パターン１１を含むトランプ回路の機能とは同じであるので、第２の実施の形態のものの動作と既に述べた第１の実施の形態のものの動作とは同じになる。このため、第２の実施の形態の動作については、これ以上の説明を省略する。
【図面の簡単な説明】
【００３１】
【図１】本考案に係るテレビジョンチューナの複同調回路の第１の実施の形態であって、その要部構成を示す回路図である。
【図２】本考案に係るテレビジョンチューナの複同調回路の第２の実施の形態であって、その要部構成を示す回路図である。
【図３】既知のこの種のテレビジョンチューナの複同調回路の構成の一例を示す回路図である。
【図４】既知のこの種のテレビジョンチューナの複同調回路の構成の他の一例を示す回路図である。
【符号の説明】
【００３２】
１  第１インダクタ
２  第２インダクタ
３  第１可変容量ダイオード
４  第２可変容量ダイオード
５、６  直流阻止コンデンサ
７、７（１）、７（２）  第１結合コンデンサ
８、８（１）、８（２）  第２結合コンデンサ
９、１０  バッファ抵抗
１１  銅箔パターン
１２Ｈ  複同調回路のホット側入力端
１２Ｃ  複同調回路のコールド側入力端
１３Ｈ  複同調回路のホット側出力端
１３Ｃ  複同調回路のコールド側出力端
１４  同調電圧供給端子
【図１】
0003108713.tif 000003
【図２】
0003108713.tif 000004
【図３】
0003108713.tif 000005
【図４】
0003108713.tif 000006